【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおける実装基板の製造方法であって、
前記第１の部品実装ラインにおいては、部品実装エラーが発生した場合に、前記部品実装エラーが発生した部品の実装をスキップし、
前記第２の部品実装ラインにおいては、前記部品の実装がスキップされたスキップ基板の前記基板ＩＤと、前記基板ＩＤに紐づけられ前記スキップされたスキップ部品の情報を含むスキップ情報に基づき、前記スキップ基板に前記スキップ部品を実装する、部品実装システムにおける実装基板の製造方法。
【請求項２】
上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおける実装基板の製造方法であって、
前記第１の部品実装ラインは、部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を下流に通知し、
前記第２の部品実装ラインは、前記第１の部品実装ラインより前記基板ＩＤに紐づいた前記スキップ情報を取得して、前記スキップ基板に前記スキップ部品を実装する、部品実装システムにおける実装基板の製造方法。
【請求項３】
上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、前記第１の部品実装ラインと前記第２の部品実装ラインとで共有可能な記憶部と、を備えた部品実装システムにおける実装基板の製造方法であって、
前記第１の部品実装ラインは、部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を前記記憶部に格納し、
前記第２の部品実装ラインは、前記記憶部より前記基板ＩＤに紐づいた前記スキップ情報を取得して、前記スキップ基板に前記スキップ部品を実装する、部品実装システムにおける実装基板の製造方法。
【請求項４】
前記部品実装システムは、前記第１の部品実装ラインと前記第２の部品実装ラインの間に配置され、複数の基板を格納することができる基板ストッカをさらに備え、
前記基板ストッカは、
前記第２の部品実装ラインが前記スキップ基板に前記スキップ部品を実装できない場合、搬入された前記スキップ基板を格納され、
前記第１の実装ラインにおいて部品実装エラーが発生しなかった際に、当該基板を格納されることなく前記第２の部品実装ラインに搬出される、請求項１から３のいずれかに記載の部品実装システムにおける実装基板の製造方法。
【請求項５】
前記第２の部品実装ラインが実装可能な部品の種類は、過去実績に基づいて、前記第２の部品実装ラインの上流に位置する部品実装ラインで実装可能な部品の一部を除外された、請求項１から４のいずれかに記載の部品実装システムにおける実装基板の製造方法。
【請求項６】
搬入された前記スキップ基板を格納した前記基板ストッカは、格納している前記スキップ基板のうち、前記第２の部品実装ラインが前記スキップ部品を実装できる前記スキップ基板を下流に搬出する、請求項４又は５に記載の部品実装システムにおける実装基板の製造方法。
【請求項７】
前記部品実装システムは、前記第１の部品実装ラインと前記第２の部品実装ラインとネットワークで接続された管理装置と、
前記第２の部品実装ラインの上流、かつ、前記第１の部品実装ラインと並列に配置され、前記管理装置と前記ネットワークで接続され、上流から搬入された基板ＩＤを有する基板に部品を実装して下流に搬出する第３の部品実装ラインをさらに備え、
前記第３の部品実装ラインは、部品実装エラーが発生した際に、前記部品実装エラーが発生した部品の実装をスキップするとともに、前記スキップ情報を前記管理装置に通知する、請求項１から６のいずれかに記載の部品実装システムにおける実装基板の製造方法。
【請求項８】
前記部品実装システムは、前記第２の部品実装ラインの下流にリフロー装置をさらに備え、
前記第２の部品実装ラインは、搬入された前記スキップ基板以外の基板には、部品を実装することなく前記リフロー装置に搬出する、請求項１から７のいずれかに記載の部品実装システムにおける実装基板の製造方法。
【請求項９】
前記管理装置は、報知部を有し、
前記管理装置が前記スキップ情報を受信した際に前記第２の部品実装ラインが前記スキップ部品を実装できない場合、前記報知部はその旨を報知する、請求項７又は８に記載の部品実装システムにおける実装基板の製造方法。
【請求項１０】
前記部品実装システムは、一端が前記第２の部品実装ラインに接続され、他端が前記第１の部品実装ラインまたは前記第３の部品実装ラインに接続される搬送コンベアを備え、
前記搬送コンベアは、搬入された基板が前記スキップ基板である場合に、前記一端を前記第２の部品実装ラインに接続される、請求項７から９のいずれかに記載の部品実装システムにおける実装基板の製造方法。
【請求項１１】
上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおいて前記基板に部品を実装する部品実装方法であって、
前記第１の部品実装ラインにおいては、部品実装エラーが発生した場合に、前記部品実装エラーが発生した部品の実装をスキップし、
前記第２の部品実装ラインにおいては、前記部品の実装がスキップされたスキップ基板の前記基板ＩＤと、前記基板ＩＤに紐づけられ前記スキップされたスキップ部品の情報を含むスキップ情報に基づき、前記スキップ基板に前記スキップ部品を実装する、部品実装方法。
【請求項１２】
上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおいて前記基板に前記部品を実装する部品実装方法であって、
前記第１の部品実装ラインは、部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を下流に通知し、
前記第２の部品実装ラインは、前記第１の部品実装ラインより前記基板ＩＤに紐づいた前記スキップ情報を取得して、前記スキップ基板に前記スキップ部品を実装する、部品実装方法。
【請求項１３】
上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、前記第１の部品実装ラインと前記第２の部品実装ラインとで共有可能な記憶部と、を備えた部品実装システムにおいて前記基板に前記部品を実装する部品実装方法であって、
前記第１の部品実装ラインは、前記部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を前記記憶部に格納し、
前記第２の部品実装ラインは、前記記憶部より前記基板ＩＤに紐づいた前記スキップ情報を取得して、前記スキップ基板に前記スキップ部品を実装する、部品実装方法。
【請求項１４】
前記部品実装システムは、前記第１の部品実装ラインと前記第２の部品実装ラインの間に配置され、複数の基板を格納することができる基板ストッカをさらに備え、
前記基板ストッカは、
前記第２の部品実装ラインが前記スキップ基板に前記スキップ部品を実装できない場合、搬入された前記スキップ基板を格納され、
前記第１の実装ラインにおいて部品実装エラーが発生しなかった際に、当該基板を格納されることなく前記第２の部品実装ラインに搬出される、請求項１１から１３のいずれかに記載の部品実装方法。
【請求項１５】
前記第２の部品実装ラインが実装可能な部品の種類は、過去実績に基づいて、前記第２の部品実装ラインの上流に位置する部品実装ラインで実装可能な部品の一部を除外された、請求項１１から１４のいずれかに記載の部品実装方法。
【請求項１６】
前記第２の部品実装ラインが前記スキップ基板に前記スキップ部品を実装できるようになると、搬入された前記スキップ基板を格納した前記基板ストッカは、収納している前記スキップ基板のうち、前記第２の部品実装ラインが前記スキップ部品を実装できる前記スキップ基板を下流に搬出する、請求項１４又は１５に記載の部品実装方法。
【請求項１７】
前記部品実装システムは、
前記第１の部品実装ラインと前記第２の部品実装ラインとネットワークで接続された管理装置と、
前記第２の部品実装ラインの上流、かつ、前記第１の部品実装ラインと並列に配置され、前記管理装置と前記ネットワークで接続され、上流から搬入された基板ＩＤを有する基板に部品を実装して下流に搬出する第３の部品実装ラインをさらに備え、
前記第３の部品実装ラインは、部品実装エラーが発生した際に、前記部品実装エラーが発生した部品の実装をスキップするとともに、前記スキップ情報を前記管理装置に通知する、請求項１１から１６のいずれかに記載の部品実装方法。
【請求項１８】
前記部品実装システムは、前記第２の部品実装ラインの下流にリフロー装置をさらに備え、
前記第２の部品実装ラインは、搬入された前記スキップ基板以外の基板には、部品を実装することなく前記リフロー装置に搬出する、請求項１１から１７のいずれかに記載の部品実装方法。
【請求項１９】
前記管理装置は、報知部を有し、
前記管理装置が前記スキップ情報を受信した際に前記第２の部品実装ラインが前記スキップ部品を実装できない場合、前記報知部はその旨を報知する、請求項１７または１８に記載の部品実装方法。
【請求項２０】
前記部品実装システムは、一端が前記第２の部品実装ラインに接続され、他端が前記第１の部品実装ラインまたは前記第３の部品実装ラインに接続される搬送コンベアを備え、
前記搬送コンベアは、搬入された基板が前記スキップ基板である場合に、前記一端を前記第２の部品実装ラインに接続される、請求項１７から１９のいずれかに記載の部品実装方法。
【手続補正２】
【補正対象書類名】明細書
【補正対象項目名】０００７
【補正方法】変更
【補正の内容】
【０００７】
本発明の部品実装システムにおける実装基板の製造方法は、上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおける実装基板の製造方法であって、前記第１の部品実装ラインにおいては、部品実装エラーが発生した場合に、前記部品実装エラーが発生した部品の実装をスキップし、前記第２の部品実装ラインにおいては、前記部品の実装がスキップされたスキップ基板の前記基板ＩＤと、前記基板ＩＤに紐づけられ前記スキップされたスキップ部品の情報を含むスキップ情報に基づき、前記スキップ基板に前記スキップ部品を実装する。
また、本発明の部品実装システムにおける実装基板の製造方法は、上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおける実装基板の製造方法であって、前記第１の部品実装ラインは、部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を下流に通知し、前記第２の部品実装ラインは、前記第１の部品実装ラインより前記基板ＩＤに紐づいた前記スキップ情報を取得して、前記スキップ基板に前記スキップ部品を実装する。
【手続補正３】
【補正対象書類名】明細書
【補正対象項目名】０００８
【補正方法】変更
【補正の内容】
【０００８】
本発明の部品実装システムにおける実装基板の製造方法は、上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、前記第１の部品実装ラインと前記第２の部品実装ラインとで共有可能な記憶部と、を備えた部品実装システムにおける実装基板の製造方法であって、前記第１の部品実装ラインは、部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を前記記憶部に格納し、前記第２の部品実装ラインは、前記記憶部より前記基板ＩＤに紐づいた前記スキップ情報を取得して、前記スキップ基板に前記スキップ部品を実装する。
【手続補正４】
【補正対象書類名】明細書
【補正対象項目名】０００９
【補正方法】変更
【補正の内容】
【０００９】
本発明の部品実装方法は、上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおいて前記基板に部品を実装する部品実装方法であって、前記第１の部品実装ラインにおいては、部品実装エラーが発生した場合に、前記部品実装エラーが発生した部品の実装をスキップし、前記第２の部品実装ラインにおいては、前記部品の実装がスキップされたスキップ基板の前記基板ＩＤと、前記基板ＩＤに紐づけられ前記スキップされたスキップ部品の情報を含むスキップ情報に基づき、前記スキップ基板に前記スキップ部品を実装する。
また、本発明の部品実装方法は、上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、を備えた部品実装システムにおいて前記基板に前記部品を実装する部品実装方法であって、前記第１の部品実装ラインは、部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を下流に通知し、前記第２の部品実装ラインは、前記第１の部品実装ラインより前記基板ＩＤに紐づいた前記スキップ情報を取得して、前記スキップ基板に前記スキップ部品を実装する。
【手続補正５】
【補正対象書類名】明細書
【補正対象項目名】００１０
【補正方法】変更
【補正の内容】
【００１０】
本発明の部品実装方法は、上流から搬入された基板ＩＤを有する基板に部品を実装して下流に搬出する部品実装装置を備える第１の部品実装ラインと、部品実装装置を備え前記第１の部品実装ラインの下流側に配置される第２の部品実装ラインと、前記第１の部品実装ラインと前記第２の部品実装ラインとで共有可能な記憶部と、を備えた部品実装システムにおいて前記基板に前記部品を実装する部品実装方法であって、前記第１の部品実装ラインは、前記部品実装エラーが発生した場合に、前記部品実装エラーが発生した部品の実装をスキップし、前記部品の実装がスキップされたスキップ基板の前記基板ＩＤと前記基板ＩＤと紐づけられ前記スキップされたスキップ部品の情報を含むスキップ情報を前記記憶部に格納し、前記第２の部品実装ラインは、前記記憶部より前記基板ＩＤに紐づいた前記スキップ情報を取得して、前記スキップ基板に前記スキップ部品を実装する。